(57)【要約】【課題】各ピクセル電極に保持されたピクセルデータのピクセル電極への書き込み後に、当該ピクセルデータの影響を取り除くための機能を有する表示装置を提供すること。【解決手段】  本実施形態の各ピクセル回路は、上述した液晶素子と、所定の電荷量を保持するコンデンサと、所定のタイミングにて液晶素子を駆動する駆動用トランジスタと、コンデンサへの電圧をセットするセットトランジスタと、液晶素子の駆動をリセットするためのリセットトランジスタと、を備える。【選択図】図４
2010286557.tif 000002
【特許請求の範囲】
【請求項１】
複数の走査線と、
複数のデータ線と、
前記走査線と前記データ線の各交点に設けられた複数のピクセルであって、前記走査線及び前記データ線からの制御信号に基づいて、照明手段が点灯することによって順次照射される複数色の光の透過率を個々に制御する複数のピクセル回路と、
を有し、
各ピクセル回路が、
各色の光の透過率を制御するためのピクセルデータを一時的に保持する保持手段と、
前記保持されたピクセルデータが書き込まれ、当該データに基づいて各色の光の透過率を制御するピクセル電極と、
前記照明手段の点灯によって各光が照射される際に、他のピクセル回路と連動して所定のタイミングにて前記保持されたピクセルデータを前記ピクセル電極に書き込む書き込み手段と、
前記照明手段の点灯が終了する毎に、前記ピクセル電極に書き込まれたピクセルデータをリセットするリセット手段と、
を備えることを特徴とするフィールドシーケンシャル駆動方式の表示パネル。
【請求項２】
請求項１に記載のフィールドシーケンシャル駆動方式の表示パネルにおいて、
前記ピクセル電極、書き込み手段およびリセット手段が薄膜トランジスタにて形成されていることを特徴とするフィールドシーケンシャル駆動方式の表示パネル。
【請求項３】
請求項１または２に記載のフィールドシーケンシャル駆動方式の表示パネルにおいて、
前記保持手段が、コンデンサにて形成されるとともに、ピクセルデータを電荷として保持することを特徴とするフィールドシーケンシャル駆動方式の表示パネル。
【請求項４】
所定のタイミングにて複数の色の光をそれぞれ順次点灯させる照明手段と、
複数の走査線と、
複数のデータ線と、
前記基材上に設けられ、かつ、前記走査線と前記データ線の各交点に設けられた複数のピクセルであって、前記走査線及び前記データ線からの制御信号に基づいて、前記照明手段が点灯することによって順次照射される複数色の光の透過率を個々に制御する複数のピクセル回路と、
を有し、
各ピクセル回路が、
各色の光の透過率を制御するためのピクセルデータを一時的に保持する保持手段と、
前記保持されたピクセルデータが書き込まれ、当該データに基づいて各色の光の透過率を制御するピクセル電極と、
前記照明手段の点灯によって各光が照射された際に、他のピクセル回路と連動して所定のタイミングにて前記保持されたピクセルデータを前記ピクセル電極に書き込む書き込み手段と、
前記照明手段の点灯が終了する毎に、前記ピクセル電極に書き込まれたピクセルデータをリセットするリセット手段と、
を備えることを特徴とするフィールドシーケンシャル駆動方式の表示装置。
【発明の詳細な説明】
【技術分野】
【０００１】
本発明は、フィールドシーケンシャル駆動を行う表示装置に関する。
【背景技術】
【０００２】
近年、複数のピクセル（以下、「画素」ともいう。）を制御しつつ、当該ピクセルの背面に配置されたバックライトを点灯することによって種々の表示を行う液晶表示装置などの非発光型素子を用いた表示装置が一般化している。特に、このような表示装置は、ＴＦＴ（Thin  Film  Transistor）などの複数のアクティブマトリクス素子によって各ピクセルを駆動させるピクセル回路を形成し、走査線及びデータ線からの信号に基づいて各ピクセルを駆動させるアクティブマトリクス方式が多く用いられている。また、最近では、このような表示装置においては、カラーフィルターを用いることなく、かつ、色毎に対応するピクセルを設けることなく、各ピクセルの駆動に連動させて、赤色（Red）、緑色（Green）および青色（Blue）を点灯する各色のバックライトを高速に切り替えることより、カラー表示を行うフィールドシーケンシャル方式の駆動方法が知られている。
【０００３】
このようなフィールドシーケンシャル方式の駆動を行う表示装置であって、アクティブマトリックス方式の表示装置（以下、単に「液晶表示装置」という。ただし、場合によっては、「フィールドシーケンシャル液晶表示装置」ともいう。）は、各色のバックライトの点灯に同期させて全ピクセルを同時に駆動させるとともに、各ピクセルは、データ線から供給されるデータ（以下、「ピクセルデータ」という。）に基づいて、点灯される各色のバックライト毎に、当該バックライトの透過率を変化させて種々の画像を表示するようになっている。
【０００４】
例えば、特許文献１には、このフィールドシーケンシャル方式を用いた液晶表示装置およびその駆動方法が記載されている。特に、この特許文献１に記載の液晶表示装置は、ピクセル回路毎に各ピクセルデータを一時的に保持するメモリ機能を有し、全ピクセル回路における各ピクセルデータを同時に書き換えて、すなわち、各ピクセルデータを各ピクセル回路が有する液晶素子（ピクセル電極）に同時に書き込んで駆動させるようになっている。
【０００５】
このため、特許文献１に記載の液晶表示装置は、各ピクセル回路にピクセルデータが書き込まれる期間と、ピクセルデータが液晶素子に書き込まれる期間と、を分離することができるとともに、一フレームにおけるピクセルデータの液晶素子への書き込み期間を短縮させることができるので、ピクセルデータの書き込み後に点灯させるバックライトの点灯時間を長くすることができるようになっている。この結果、この表示装置は、フィールドシーケンシャル方式に基づく駆動により高解像度を実現することができるとともに、十分な明るさを確保することができるようになっている。
【先行技術文献】
【特許文献】
【０００６】
【特許文献１】特開２００３−１２２３１４号公報
【発明の概要】
【発明が解決しようとする課題】
【０００７】
しかしながら、特許文献１に記載の表示装置は、コンデンサによってピクセルデータを一時的に保持させることによって上述のメモリ機能を実現しているため、コンデンサの容量と液晶素子などのピクセル電極との電荷容量の関係によっては、ピクセル電極に書き込まれたピクセルデータに対して直前のフレーム時に書き込まれたピクセルデータの影響を受けることがある。
【０００８】
本発明は、上記課題を解決するためになされたものであり、その目的は、各ピクセル回路に保持されたピクセルデータのピクセル電極への書き込み後に、当該ピクセルデータの影響を取り除くための機能、すなわち、各ピクセル回路が走査される毎に、ピクセル電極をリセットする機能を有する表示装置を提供することにある。
【課題を解決するための手段】
【０００９】
上記課題を解決するために、本発明は、複数の走査線と、複数のデータ線と、前記走査線と前記データ線の各交点に設けられた複数のピクセルであって、前記走査線及び前記データ線からの制御信号に基づいて、照明手段が点灯することによって順次照射される複数色の光の透過率を個々に制御する複数のピクセル回路と、を有し、各ピクセル回路が、各色の光の透過率を制御するためのピクセルデータを一時的に保持する保持手段と、前記保持されたピクセルデータが書き込まれ、当該データに基づいて各色の光の透過率を制御するピクセル電極と、前記照明手段の点灯によって各光が照射された際に、他のピクセル回路と連動して所定のタイミングにて前記保持されたピクセルデータを前記ピクセル電極に書き込む書き込み手段と、前記照明手段の点灯が終了する毎に、前記ピクセル電極に書き込まれたピクセルデータをリセットするリセット手段と、を備える構成を有している。
【００１０】
この構成により、本発明は、照明手段の点灯によって各光が照射される際に、他のピクセル回路と連動して所定のタイミングにてコンデンサに保持されたピクセルデータをピクセル電極に書き込み、かつ、照明手段の点灯が終了する毎にピクセル電極に書き込まれたピクセルデータをリセットすることができるので、ピクセル電極に不要な電荷が残留した場合であっても、各光の点灯が終了する毎にピクセル電極からピクセルデータを完全にかつ高速に消去することができる。
【００１１】
したがって、本発明は、フィールドシーケンシャル方式に基づく駆動により高解像度を実現するとともに、十分な明るさを確保し、かつ、的確な画像を表示することができる。
【００１２】
また、本発明は、前記ピクセル電極、書き込み手段およびリセット手段が薄膜トランジスタにて形成されていてもよい。
【００１３】
また、本発明は、前記保持手段が、コンデンサにて形成されるとともに、ピクセルデータを電荷として保持する構成を有していてもよい。
【００１４】
また、本発明は、所定のタイミングにて複数の色の光をそれぞれ順次点灯させる照明手段と、複数の走査線と、複数のデータ線と、前記基材上に設けられ、かつ、前記走査線と前記データ線の各交点に設けられた複数のピクセルであって、前記走査線及び前記データ線からの制御信号に基づいて、前記照明手段が点灯することによって順次照射される複数色の光の透過率を個々に制御する複数のピクセル回路と、を有し、各ピクセル回路が、各色の光の透過率を制御するためのピクセルデータを一時的に保持する保持手段と、前記保持されたピクセルデータが書き込まれ、当該データに基づいて各色の光の透過率を制御するピクセル電極と、前記照明手段の点灯によって各光が照射された際に、他のピクセル回路と連動して所定のタイミングにて前記保持されたピクセルデータを前記ピクセル電極に書き込む書き込み手段と、前記照明手段の点灯が終了する毎に、前記ピクセル電極に書き込まれたピクセルデータをリセットするリセット手段と、を備える構成を有している。
【００１５】
この構成により、本発明は、照明手段の点灯によって各光が照射された際に、他のピクセル回路と連動して所定のタイミングにてコンデンサに保持されたピクセルデータをピクセル電極に書き込み、かつ、各光の照射の終了後にピクセル電極に書き込まれたピクセルデータをリセットすることができるので、ピクセル電極に不要な電荷が残留した場合であっても、当該ピクセル電極からピクセルデータを完全にかつ高速に消去することができる。
【００１６】
したがって、本発明は、フィールドシーケンシャル方式に基づく駆動により高解像度を実現するとともに、十分な明るさを確保し、かつ、的確な画像を表示することができる。
【発明の効果】
【００１７】
本発明は、照明手段の点灯によって各光が照射された際に、他のピクセル回路と連動して所定のタイミングにてコンデンサに保持されたピクセルデータをピクセル電極に書き込み、かつ、各光の照射の終了後にピクセル電極に書き込まれたピクセルデータをリセットすることができるので、ピクセル電極に不要な電荷が残留した場合であっても、当該ピクセル電極からピクセルデータを完全にかつ高速に消去することができるので、フィールドシーケンシャル方式に基づく駆動により高解像度を実現するとともに、十分な明るさを確保し、かつ、的確な画像を表示することができる。
【図面の簡単な説明】
【００１８】
【図１】本発明に係る液晶表示装置の第１実施形態における回路構成を示すブロック図である。
【図２】第１実施形態における表示パネル部とデータ線駆動回路の内部回路構成を示すブロック図である。
【図３】第１実施形態の液晶表示装置におけるピクセル回路の内部構成を示す回路図である。
【図４】第１実施形態におけるピクセル回路の等価回路である。
【図５】第１実施形態の液晶表示装置における一のピクセル回路の動作を示すタイミングチャートである。
【図６】第２実施形態におけるピクセル回路の等価回路である。
【図７】第２実施形態の液晶表示装置における一のピクセル回路の動作を示すタイミングチャートである。
【発明を実施するための形態】
【００１９】
以下、本願の実施形態について、図面を参照しながら説明する。
【００２０】
なお、以下に説明する実施形態は、アクティブマトリックス方式であって、フィールドシーケンシャル方式の駆動を行う非発光型の表示装置である液晶表示装置（以下、単に、「液晶表示装置」という。）に、本発明に係る表示パネルまたは表示装置を適用した場合の実施形態である。
【００２１】
はじめに、図１〜図５を用いて本発明に係る液晶表示装置の第１実施形態について説明する。
【００２２】
まず、図１を用いて本実施形態の液晶表示装置の構成について説明する。なお、図１は、本実施形態における液晶表示装置の回路構成を示すブロック図であり、図２は、本実施形態における表示パネル部とデータ線駆動回路の内部回路構成を示すブロック図である。
【００２３】
本実施形態の液晶表示装置１００は、図１に示すように、複数の液晶素子Ｌからなる画素を有し、所定の画像を表示する表示パネル部１１０と、複数のデータ線Ｘを介して各ピクセルを制御するデータ線駆動回路１２０と、複数の走査線Ｙを介して各ピクセルを制御する走査線駆動回路１３０と、表示パネル部１１０に表示する画像データを一時的に記憶するメモリ回路１４０と、各ピクセル回路１０の駆動を制御する制御用電源回路（以下、「セット用電源回路」という。）１５０と、各ピクセル回路１０をリセットするための制御用電源回路（以下、「リセット用電源回路」という。）１６０と、各部を制御する制御回路１７０と、複数の色の光を点灯させて表示パネル部１１０に照射する照明装置Ｓと、を備えている。
【００２４】
なお、本実施形態の液晶表示装置１００の各要素１１〜１７は、例えば、１チップの半導体集積回路装置などのそれぞれの要素が独立した電子部品によって構成されていてもよいし、全部若しくは複数の要素が一体となった電子部品として構成されていてもよい。また、本実施形態の液晶表示装置１００は、各構成要素１１〜１６の全部若しくは一部がプログラマブルなＩＣチップにて構成され、その機能がＩＣチップに書き込まれたプログラムによりソフトウェア的に実現されてもよい。
【００２５】
表示パネル部１１０は、図２に示すように、列方向に沿ってのびるｍ列のデータ線Ｘ１〜Ｘｍ（ｍは整数）と、行方向に沿ってのびるｎ行の走査線Ｙ１〜Ｙｎ（ｎは整数）との交差部に対応する位置に、ｎ行ｍ列に配列された、液晶素子Ｌを有する複数の（ｎ×ｍ個の）ピクセル回路１０を有している。
【００２６】
各ピクセル回路１０は、駆動電流に基づいて照明装置Ｓが点灯することによって照射される光の透過率を制御する液晶素子Ｌ２１を有し、各ピクセル回路１０が一画素を構成するようになっている。この各液晶素子Ｌは、各ピクセル回路１０に供給された該当する走査線Ｙおよびデータ線Ｘからの信号（以下、「ピクセルデータ」という。）ＩＤに基づいて、光の透過率を個々に制御するようになっている。
【００２７】
また、本実施形態の各ピクセル回路１０は、照明装置Ｓが各光を点灯する際にそれぞれ一斉にピクセルデータが書き換えられるように駆動するようになっており、各光、例えば、赤、青、緑および白の４色の光が点灯する毎に全ピクセル回路１０におけるピクセルデータが書き換わるように駆動するようになっている。
【００２８】
なお、本実施形態におけるピクセル回路１０の構成およびその動作の詳細については後述する。また、本実施形態では、一フレームは、赤色の点灯に関する各動作が行われる赤フレーム期間、青色の点灯に関する各動作が行われる青フレーム期間、緑色の点灯に関する各動作が行われる緑フレーム期間および白色の点灯に関する各動作が行われる白フレーム期間のそれぞれから構成される。
【００２９】
本実施形態のデータ線駆動回路１２０は、制御回路１７０の制御の下、図２に示すように、ｍ列の複数のデータ線Ｘ１〜Ｘｍを有し、この各データ線Ｘ１〜Ｘｍに対して単一ライン駆動回路３０をそれぞれ備えている。この各単一ライン駆動回路３０は、各データ線Ｘ１〜Ｘｍを介し各ピクセル回路１０にピクセルデータＩＤをそれぞれ供給するようになっている。
【００３０】
また、本実施形態の各単一ライン駆動回路３０は、走査線Ｙ１〜Ｙｎのいずれか一つが選択された場合に、選択された走査線Ｙに対応するピクセルデータＩＤを、当該選択された走査線Ｙに接続されたピクセル回路１０に、データ線Ｘ１〜Ｘｍのいずれか一つを介して供給するようになっている。
【００３１】
なお、各単一ライン駆動回路３０が生成するピクセルデータＩＤは、多値のデータに相当する信号であって、例えば、本実施形態の各単一ライン駆動回路３０は、６４通りの電圧値の信号を各ピクセル回路１０に供給するようになっている。また、後述するように、供給されたピクセルデータＩDは、それぞれ液晶装置Ｌに供給されるようになっている。
【００３２】
本実施形態の走査線駆動回路１３０は、制御回路１７０の制御の下、図２に示すように、ｎ行の複数の走査線Ｙ１〜Ｙｎを有し、１フレーム期間にｎ行の走査線Ｙ１〜Ｙｎを順に一つずつ選択する垂直走査を行うようになっている。この走査線駆動回路１３０は、ｎ×ｍ個のピクセル回路１０のうち選択された一つの走査線Ｙに接続された各ピクセル回路１０（一行分の画素回路）のトランジスタ（後述する書き込みトランジスタ１２）をオン状態に設定するようになっている。
【００３３】
本実施形態のメモリ回路１４０は、表示パネル部１１０に表示するための画像データが外部に接続されたコンピュータ２００から供給され、当該供給された画像データを内部に記憶するようになっている。
【００３４】
本実施形態のセット用電源回路１５０は、制御回路１７０の制御の下、各ピクセル回路１０と接続された、各ピクセル回路１０の駆動を制御するための制御用電源線を有し、当該制御用電源線を介して各ピクセル回路１０に、ピクセルデータＩDを液晶素子Ｌに書き込むための電圧を印加するようになっている。
【００３５】
なお、本実施形態のセット用電源回路１５０の動作の詳細については、ピクセル回路１０の構成およびその動作とともに後述する。
【００３６】
本実施形態のリセット用電源回路１６０は、制御回路１７０の制御の下、各ピクセル回路１０と接続された、各ピクセル回路１０をリセットするための制御用電源線を有し、当該制御用電源線を介して各ピクセル回路１０に、液晶素子Ｌの駆動をリセットするための電圧を印加するようになっている。
【００３７】
なお、本実施形態のリセット用電源回路１６０の動作の詳細については、ピクセル回路１０の構成およびその動作とともに後述する。
【００３８】
照明装置Ｓは、制御回路１７０の制御の下、データ線駆動回路１２０および走査線駆動回路１３０と連動し、複数の色の光をそれぞれ所定のタイミングにて順次点灯させるようになっており、点灯させた各光を背面から表示パネル部１１０に照射する構成を有している。
【００３９】
例えば、本実施形態の照明装置Ｓは、赤色、緑色、青色および白色の各色の光を所定の期間、所定のタイミングにて順次点灯させ、点灯させた各色の光を表示パネル部１１０に背面から照射するようになっている。特に、本実施形態の照明装置Ｓは、走査線駆動回路１３０によって走査線Ｙを一つずつ選択している垂直走査中にも該当する光を点灯させるようになっている。
【００４０】
本実施形態の制御回路１７０は、表示パネル部１１０など上記の各部を統括制御するようになっている。特に、この制御回路１７０は、表示パネル部１１０の表示状態を表すメモリ回路１４０に記憶した画像データを、各ピクセル回路１０における液晶素子Ｌの発光の階調を表すマトリクスデータに変換するようになっている。
【００４１】
なお、マトリクスデータは、１行分の画素回路を選択するために第１及び第２走査信号を出力する走査線Ｙ１〜Ｙｎを指定するための走査線Ｙ制御信号を含む。また、マトリクスデータは、行毎に選択される画素回路群の液晶素子Ｌ２１の輝度を設定するためのピクセルデータＩＤを決定するデータ線Ｘ制御信号を含む。そして、走査線Ｙ制御信号は、走査線駆動回路１３０に供給され、また、データ線Ｘ制御信号はデータ線駆動回路１２０に供給されるようになっている。
【００４２】
また、本実施形態の制御回路１７０は、走査線Ｙ１〜Ｙｎの選択動作を、表示パネル部１１０を照射する色の数だけ複数回繰り返して１フレームの画像が形成されるように、データ線駆動回路１２０、走査線駆動回路１３０、セット用電源回路１５０およびリセット用電源回路１６０を制御するようになっている。
【００４３】
次に、図３および図４を用いて本実施形態の液晶表示装置１００における各ピクセル回路１０の構成について説明する。なお、図３は、本実施形態の液晶表示装置１００におけるピクセル回路１０の内部構成を示す回路図であり、図４は、本実施形態におけるピクセル回路１０の等価回路である。
【００４４】
本実施形態の各ピクセル回路１０は、図３および図４に示すように、上述した液晶素子Ｌと、所定の電荷量を保持するコンデンサＣと、所定のタイミングにて液晶素子Ｌにピクセルデータをセットするためのトランジスタ（以下、「セットトランジスタ」という。）１１と、コンデンサＣへの電圧を書き込むためのトランジスタ（以下、「書き込みトランジスタ」という。）１２と、液晶素子Ｌの駆動をリセットするためのトランジスタ（以下、「リセットトランジスタ」という。）１３と、を備える。
【００４５】
なお、例えば、本実施形態の液晶素子Ｌは、本発明のピクセル電極を構成し、コンデンサＣは、本発明の保持手段を構成する。また、例えば、本実施形態のセットトランジスタ１１は、本発明の書き込み手段を構成し、リセットトランジスタ１３は、本発明のリセット手段を構成する。
【００４６】
本実施形態のコンデンサＣは、セットトランジスタ１１のソースと書き込みトランジスタ１２のドレインに接続されている。そして、このコンデンサＣは、印加された電圧に伴って書き込みトランジスタ１２の動作に伴ってピクセルデータＩＤに応じた電荷量を保持するとともに、セットトランジスタ１１の動作に連動して保持した電荷に基づいて液晶素子Ｌに電圧を印加するようになっている。
【００４７】
本実施形態のセットトランジスタ１１は、TFTであり、Ｎ型FET（電界効果型トランジスタ）にて構成されている。また、このセットトランジスタ１１には、そのゲートに駆動用電源線が接続されるととともに、そのソースにコンデンサＣの一端が接続され、ドレインに液晶素子Ｌ２１の陽極が接続されている。このセットトランジスタ１１は、駆動用電源に基づいて、すなわち、駆動用電源線にて電圧が印加されてオン状態になると、コンデンサＣに保持された電荷を用いて液晶素子Ｌに所定の電圧を印加するようになっている。また、本実施形態のセットトランジスタ１１は、他のピクセル回路１０におけるセットトランジスタ１１と連動して、特に、本実施形態では他のピクセル回路１０におけるセットトランジスタ１１と同時に、コンデンサＣに保持された電荷を用いて液晶素子Ｌに所定の電圧を印加するようになっている。
【００４８】
本実施形態の書き込みトランジスタ１２は、セットトランジスタ１１と同様に、TFTであり、Ｎ型FET（電界効果型トランジスタ）にて構成されている。また、この書き込みトランジスタ１２には、そのゲートに走査線Ｙが接続されるとともに、そのソースにデータ線Ｘが接続され、そのドレインにコンデンサＣの一端が接続されている。この書き込みトランジスタ１２は、走査線Ｙから供給される走査線信号に基づいて、データ線Ｘから供給されるピクセルデータをコンデンサＣに供給するようになっている。
【００４９】
特に、本実施形態の書き込みトランジスタ１２は、上述したように、走査線駆動回路１３０における垂直走査に連動してオン状態に設定されるようになっている。そして、この書き込みトランジスタ１２は、このオン状態の際に、データ線駆動回路１２０からデータ線Ｘを介して多値に対応するピクセルデータＩDをコンデンサＣに供給する、すなわち、所定の値に対応した電圧を液晶素子Ｌに印加するためのデータをコンデンサＣに書き込むようになっている。
【００５０】
本実施形態のリセットトランジスタ１３は、セットトランジスタ１１と同様に、TFTであり、Ｎ型FET（電界効果型トランジスタ）にて構成されている。また、このリセットトランジスタ１３には、そのゲートにリセット用電源線が接続されるとともに、そのソースに液晶素子Ｌの陽極が接続されている。また、このリセットトランジスタ１３は、そのドレインがグラウンドに接地されている。そして、このリセットトランジスタ１３は、リセット用電源が印加されてオン状態になると、液晶素子Ｌに残留している電荷をグラウンドに逃がすようになっている。
【００５１】
次に、図５を用いて本実施形態の液晶表示装置１００における各ピクセル回路１０の動作について説明する。なお、図５は、本実施形態の液晶表示装置１００における一のピクセル回路１０の動作を示すタイミングチャートである。
【００５２】
本動作は、図５に示すように、所定の画像データに基づいて生成された、時間経過に伴って電圧レベルが変化するピクセルデータがデータ線駆動回路１２０から供給され、かつ、表示パネル部１１０の上部から下部に一つずつ順に走査線Ｙが垂直走査（スキャン）されている場合における一のピクセル回路１０の動作を用いて説明する。
【００５３】
まず、制御回路１７０は、走査線駆動回路１３０に赤フレームに関する垂直走査を開始させるとともに、該当するピクセルデータに基づいてデータ線駆動回路１２０を駆動させる。
【００５４】
ここで、対象となるピクセル回路１０にスキャンパルスが入力されると、すなわち、当該ピクセル回路１０が接続されている走査線Ｙが走査されると、書き込みトランジスタ１２がオン状態となる。
【００５５】
書き込みトランジスタ１２がオン状態となると、該当するデータ線ＸとコンデンサＣが書き込みトランジスタ１２を介して電気的に接続され、コンデンサＣには、当該時刻におけるピクセルデータ、すなわち、所定のレベルの電圧が書き込まれる。
【００５６】
次いで、一の垂直走査が終了すると、すなわち、赤フレームに関する垂直走査が終了すると、制御回路１７０は、セット用電源回路１５０から所定のパルス（以下、「セットパルス」という。）を出力させ、ピクセル回路１０に入力させる。なお、上述したように、セット用電源回路１５０は、全てのピクセル回路１０にセットパルスを出力する。
【００５７】
このセットパルスがピクセル回路１０に入力されると、セットトランジスタ１１がオン状態となり、コンデンサＣに保持された電荷に基づいて所定の電圧が液晶素子Ｌに印加される。すなわち、データ線Ｘから供給されたピクセルデータに同等の電圧が液晶素子Ｌに印加される。
【００５８】
なお、この動作に連動させて、制御回路１７０は、照明装置Ｓに赤色の光を表示パネル部１１０に背面から照射させ、赤フレームの表示を行う。
【００５９】
次いで、赤フレームに関する表示期間が終了すると、制御回路１７０は、リセット用電源回路１６０から所定のパルス（以下、「リセットパルス」という。）を出力させ、ピクセル回路１０に入力させる。なお、上述したように、リセット用電源回路１６０は、全てのピクセル回路１０に同時にリセットパルスを出力する。
【００６０】
このリセットパルスがピクセル回路１０に入力されると、リセットトランジスタ１３がオン状態となり、液晶素子Ｌが接地され、液晶素子Ｌの電圧が「０」にリセットされる。
【００６１】
一方、赤フレームに関する垂直走査が終了すると、制御回路１７０は、走査線駆動回路１３０に緑フレームに関する垂直走査を開始させるとともに、該当するピクセルデータに基づいてデータ線駆動回路１２０を駆動させる。そして、赤フレームのときと同様に、コンデンサＣに該当するレベルの電圧が書き込まれ、当該書き込まれた電圧が全ての液晶素子Ｌに一括に印加されるとともに、リセットパルスの入力に基づいて液晶素子Ｌの電圧が「０」にリセットされる。
【００６２】
また、緑フレームに関する垂直走査が終了すると、制御回路１７０は、走査線駆動回路１３０に青フレームに関する垂直走査を開始させるとともに、赤フレームおよび緑フレームと同様の処理を行う。
【００６３】
そして、青フレームに関する垂直走査が終了すると、最後に、制御回路１７０は、走査線駆動回路１３０に白フレームに関する垂直走査を開始させるとともに、赤フレーム、緑フレームおよび青フレームと同様の処理を行い、一フレームの動作を終了させる。
【００６４】
以上、本実施形態の液晶表示装置１００は、照明装置Ｓの点灯によって各光が照射された際に、表示パネル部１１０における他のピクセル回路１０と連動して、所定のタイミングにてコンデンサＣに保持されたピクセルデータをピクセル電極に書き込み、かつ、各光の点灯の終了後にピクセル電極に書き込まれたピクセルデータをリセットすることができるので、ピクセル電極に不要な電荷が残留した場合であっても、当該ピクセル電極からピクセルデータを完全にかつ高速に消去することができる。
【００６５】
したがって、本実施形態の液晶表示装置１００は、フィールドシーケンシャル方式に基づく駆動により高解像度を実現するとともに、十分な明るさを確保し、かつ、的確な画像を表示することができる。
【００６６】
次に、図６および図７を用いて本発明に係る液晶表示装置の第２実施形態について説明する。
【００６７】
本実施形態の液晶表示装置は、第１実施形態のピクセル回路が１個のコンデンサＣと、２個のトランジスタによって構成されている点に代えて、２個のＳＲ（Set/Reset）-FF（Flip-Flop）回路にて構成する点に特徴があり、その他の構成は、第１実施形態と同様である。
【００６８】
また、本実施形態の液晶表示装置は、第１実施形態とは構成が異なるピクセル回路を有するため、第１実施形態の構成に加え、制御回路１７０の制御に基づいてＦＦ回路用のリセットパルス（以下、「FF回路パルス」という。）を発生させるＦＦ回路用パルス発生回路を備えている。
【００６９】
なお、以下に説明する変形例においては、第１実施形態と同一部材には、同一符号を付してその説明を省略する。
【００７０】
まず、図６を用いて本実施形態の液晶表示装置１００における各ピクセル回路２０の構成について説明する。なお、図６は、本実施形態におけるピクセル回路２０の等価回路である。
【００７１】
本実施形態のピクセル回路２０は、図６に示すように、走査線Ｙとデータ線Ｘが入力に接続される第１ＡＮＤ回路２１と、第１ＡＮＤ回路２１の出力とFF回路用セットパルが入力される第１ＦＦ回路２２と、第１ＦＦ回路２２の出力とセットパルスが入力される第２ＡＮＤ回路２３と、第２ＡＮＤ回路２３の出力とリセットパルが入力される第２ＦＦ回路２４と、第２ＦＦ回路２４の出力が接続される液晶素子Ｌと、を有している。
【００７２】
次に、図７を用いて本実施形態の各ピクセル回路２０の動作について説明する。なお、図７は、本実施形態の液晶表示装置における一のピクセル回路２０の動作を示すタイミングチャートである。
【００７３】
本動作は、所定の画像データに基づいて生成された、時間経過に伴って電圧レベルが変化するピクセルデータがデータ線駆動回路１２０から供給され、かつ、表示パネル部１１０の上部から下部に一つずつ順に走査線Ｙが垂直走査されている場合におけるピクセル回路２０の動作を用いて説明する。
【００７４】
まず、制御回路１７０は、走査線駆動回路１３０に赤フレームに関する垂直走査を開始させるとともに、該当するピクセルデータに基づいてデータ線駆動回路１２０を駆動させる。
【００７５】
ここで、対象となるピクセル回路２０にスキャンパルスが入力されると、すなわち、当該ピクセル回路２０が接続されている走査線Ｙが走査されると、第１ＡＮＤ回路２１の出力が「Ｈｉｇｈ」になり、それに伴って、第１ＦＦ回路２２の出力Ａが「Ｈｉｇｈ」となる。
【００７６】
なお、本動作においては、所定のタイミングにて、具体的には、当該垂直走査終了後であって、次のフレームにおける垂直走査開始前にＦＦ回路パルス（第１ＦＦ回路用リセットパルス）が入力されるようになっており、そのタイミングにて第１ＦＦ回路２２の出力Ａを「Ｌｏｗ」となる。
【００７７】
次いで、一の垂直走査が終了すると、すなわち、赤フレームに関する垂直走査が終了すると、制御回路１７０は、セット用電源回路１５０からセットパルスを出力させ、ピクセル回路２０に入力させる。なお、上述したように、セット用電源回路１５０は、全てのピクセル回路２０にセットパルスを出力する。
【００７８】
このセットパルスがピクセル回路２０に入力されると、第２ＡＮＤ回路２３の出力が「Ｈｉｇｈ」になり、それに伴って、第２ＦＦ回路２４の出力Ｂが「Ｈｉｇｈ」となる。したがって、この出力Ｂにより液晶素子Ｌが駆動する。例えば、本実施形態では、図６に示すように、第２ＦＦ回路２４から出力された出力Ｂを直接液晶素子Ｌに入力してもよいし、図８に示すように、液晶駆動電源回路ＶＬＣ及び液晶駆動用のスイッチングトランジスタを別途設け、第２ＦＦ回路２４の出力Ｂをスイッチングトランジスタのゲートに入力することによって、液晶駆動電源回路ＶＬＣから印加される電圧に基づいて液晶素子Ｌを駆動するようにしてもよい。また、液晶素子を駆動させる電源回路を別途設けた場合であって、当該液晶素子Ｌを交流にて駆動する場合には、交流の駆動電源を用いるようにすればよい。
【００７９】
なお、この動作に連動させて、制御回路１７０は、照明装置Ｓに赤色の光を表示パネル部１１０に背面から照射させ、赤フレームの表示を行う。
【００８０】
次いで、赤フレームに関する表示期間が終了すると、制御回路１７０は、リセット用電源回路１６０からリセットパルスを出力させ、ピクセル回路２０、すなわち、第２ＦＦ回路２４に入力させる。なお、上述したように、リセット用電源回路１６０は、全てのピクセル回路２０にリセットパルスを出力する。
【００８１】
このリセットパルスがピクセル回路２０に入力されると、第２ＦＦ回路２４の出力Ｂが「Ｌｏｗ」となり、液晶素子Ｌの電圧が「０」にリセットされる。
【００８２】
一方、赤フレームに関する垂直走査が終了すると、制御回路１７０は、走査線駆動回路１３０に緑フレームに関する垂直走査を開始させるとともに、該当するピクセルデータに基づいてデータ線駆動回路１２０を駆動させる。そして、赤フレームのときと同様に、第１ＦＦ回路２２の出力Aを「Ｈｉｇｈ」及び第２ＦＦ回路２４の出力を「Ｈｉｇｈ」に順次にセットして液晶素子Ｌを駆動するとともに、第２ＦＦ回路２４へのリセットパルスの入力に基づいて液晶素子Ｌの電圧を「０」にリセットする。
【００８３】
また、緑フレームに関する垂直走査が終了すると、制御回路１７０は、走査線駆動回路１３０に青フレームに関する垂直走査を開始させるとともに、赤フレームおよび緑フレームと同様の処理を行う。
【００８４】
そして、青フレームに関する垂直走査が終了すると、最後に、制御回路１７０は、走査線駆動回路１３０に白フレームに関する垂直走査を開始させるとともに、赤フレームおよび緑フレームと同様の処理を行い、本動作を終了させる。
【００８５】
以上、本実施形態の液晶表示装置１００は、照明装置Ｓの点灯によって各光が照射された際に、表示パネル部１１０における他のピクセル回路２０と連動して、所定のタイミングにてピクセルデータをピクセル電極に書き込み、かつ、各光の点灯の終了後にピクセル電極に書き込まれたピクセルデータをリセットすることができるので、ピクセル電極に不要な電荷が残留した場合であっても、当該ピクセル電極からピクセルデータを完全にかつ高速に消去することができる。
【００８６】
したがって、本実施形態の液晶表示装置１００は、フィールドシーケンシャル方式に基づく駆動により高解像度を実現するとともに、十分な明るさを確保し、かつ、的確な画像を表示することができる。
【符号の説明】
【００８７】
Ｃ  …  コンデンサ
Ｌ  …  液晶素子
Ｘ  …  データ線
Ｙ  …  走査線
１０  …  ピクセル回路
１１  …  駆動用トランジスタ
１２  …  セットトランジスタ
１３  …  リセットトランジスタ
３０  …  単一ライン駆動回路
１００  …  液晶表示装置
１１０  …  表示パネル部
１２０  …  データ線駆動回路
１３０  …走査線駆動回路
１４０  …  メモリ回路
１５０  …  セット用電源回路
１６０  …  リセット用電源回路
２００  …  コンピュータ
【図１】
2010286557.tif 000003
【図２】
2010286557.tif 000004
【図３】
2010286557.tif 000005
【図４】
2010286557.tif 000006
【図５】
2010286557.tif 000007
【図６】
2010286557.tif 000008
【図７】
2010286557.tif 000009